(57)【要約】  【課題】耐用寿命を高め、サーファーや海水浴客等に対し安全であり、現地の自然環境を保全し、生態系によい環境を作り出し、また設置する現地に適応した形状、重量の二重袋体波浪制御構造物とする。  【解決手段】重ね合わせた合成樹脂製の不織布又は織布からなる二枚のシート２ａ，２ｂにおける対向内面を適宜間隔をおいてほぼ平行に仕切ることにより形成した複数のセルを持つセル付きシート材を現地の製造ヤードに搬入し、現地で調達可能な砂を含む流動性の中詰材５ａを複数のセルにそれぞれ充填してセル付きシート体１を作製し、このセル付きシート体１により形成した袋材に前記と同様の中詰材５ｂを充填して構成した。【選択図】図２
2006307603.tif 000002
【特許請求の範囲】
【請求項１】
重ね合わせた二枚のシートにおける対向内面を適宜間隔をおいてほぼ平行に仕切ることにより複数のセルを形成し、該複数のセルにそれぞれ砂を含む水より比重の大なる流動性の中詰材を充填してセル付きシート体を構成し、該セル付きシート体により形成した袋材に砂を含む水より比重の大なる流動性の中詰材を充填することにより構成してなることを特徴とする二重袋体波浪制御構造物。
【請求項２】
上記二枚のシートの材料は、不織布又は織布であり、当該二枚のシートのうち、上記袋材における外側のシートは波力による破損に耐える性能に優れ、内側のシートは上記中詰材による摩耗に耐える性能に優れたものであることを特徴とする請求項１記載の二重袋体波浪制御構造物。
【請求項３】
上記内側のシートは、上記外側のシートよりも機械的強度が大であり、上記各セルの断面形状は、ほぼ直線状の前記内側のシートに対し、前記外側のシートは円弧状に膨出していることを特徴とする請求項１又は２記載の二重袋体波浪制御構造物。
【請求項４】
重ね合わせた二枚のシートにおける対向内面を適宜間隔をおいてほぼ平行に仕切ることにより形成した複数のセルを持つセル付きシート材を作製し、該セル付きシート材を製品となる二重袋体波浪制御構造物を設置する現地の製造ヤードに搬入し、該製造ヤードにおいて前記現地で調達可能な砂を含む水より比重の大なる流動性の中詰材を前記複数のセルにそれぞれ充填してセル付きシート体を作製し、次いで該セル付きシート体により形成した袋材に前記と同様の中詰材を充填することを特徴とする二重袋体波浪制御構造物の製作方法。
【請求項５】
上記製造ヤードに搬入する上記セル付きシート材における少なくとも上記セルの形状、寸法は、上記製品となる二重袋体波浪制御構造物を設置する現地に対応した形状、寸法とすることを特徴とする請求項４記載の二重袋体波浪制御構造物の製作方法。
【請求項６】
頂部を平坦にして且つ該頂部が水面下に位置するように請求項１，２又は３記載の二重袋体波浪制御構造物の複数個を、海底地盤の上に展着し且つ積上げ、もしくは捨石堤の外表面に被着して人工リーフもしくは潜堤を構築することを特徴とする二重袋体波浪制御構造物の構築方法。
【請求項７】
岸辺から海側に突出した捨石堤の外表面に、堤頂部が水面上に位置するように請求項１，２又は３記載の二重袋体波浪制御構造物の複数個を被着して突堤を構築することを特徴とする二重袋体波浪制御構造物の構築方法。
【請求項８】
捨石堤の外表面に、堤頂部が水面上に位置するように請求項１，２又は３記載の二重袋体波浪制御構造物の複数個を被着して離岸堤を構築することを特徴とする二重袋体波浪制御構造物の構築方法。
【請求項９】
上記人工リーフ、潜堤、突堤又は離岸堤を構築している複数個の上記二重袋体波浪制御構造物のうち、前記人工リーフ、潜堤、突堤又は離岸堤の端部に位置する各二重袋体波浪制御構造物から、当該人工リーフ、潜堤、突堤又は離岸堤周辺の局所洗掘を防止する局所洗掘防止手段が張り出されていることを特徴とする請求６，７又は８記載の二重袋体波浪制御構造物の構築方法。
【発明の詳細な説明】
【技術分野】
【０００１】
本発明は、二重袋体波浪制御構造物、その製作方法及びその構築方法に関するものであり、特に、耐用寿命を高めることができ、サーファーや海水浴客等に対し安全であり、また現地の自然環境を保全しうるとともに生態系によい環境を作り出すことが可能な二重袋体波浪制御構造物、その製作方法及びその構築方法に関するものである。
【背景技術】
【０００２】
波浪制御構造物に関連する従来技術として、例えば次のような中仕切を設けた耐波浪性土木工事用袋材が知られている。この従来技術は、中仕切を設けた合成繊維製の網袋材に、砕石や砂利等の中詰材を投入した後、網袋材上部の開口部を口縛りロープにより閉止して、中詰材を充填した袋体を構成している。そして、波浪の作用による袋体内での中詰材の移動を防止し、袋体の剪断変形を少なくするようにしている（例えば、特許文献１参照）。
【０００３】
また、波浪制御構造物に関連する他の従来技術として、例えば次のような被覆材、被覆材の制作方法、洗掘防止構造、洗掘防止工法が知られている。この従来技術は、合成繊維又は天然繊維製の２枚の網材の左右側部、底部となる外周部及び連筒形状とするための縫合線の各部分を縫合して、複数の袋が連筒形状に結合した形の網袋を準備し、この網袋に、砂利、砕石、人工砂利、リサイクル石材等の中詰材を投入した後、網袋の口をかがって被覆材を構成している。そして、連筒形状とすることで中詰材を拘束する網張力を大にして網材の摩耗を低減できるようにしている（例えば、特許文献２参照）。
【特許文献１】特開２００３−１２９４４３号公報（第２，３頁、図１）。
【特許文献２】特開２００３−１７１９２３号公報（第２，３頁、図１）。
【発明の開示】
【発明が解決しようとする課題】
【０００４】
特許文献１に記載の従来技術においては、合成繊維製の網袋材に、砕石や砂利等の中詰材が充填されて構成されている。このため、台風等の襲来時に、浮遊物等の鋭利なものにより網袋材が破損して中詰材が流出すると、港湾等を外海の波浪から保護する機能が劣化するとともに現地の自然環境を害し、また海水浴客等が怪我をするおそれがある。
【０００５】
また、特許文献２に記載の従来技術においては、合成繊維製の複数の網袋が連筒形状に結合された袋材に、砂利、砕石、リサイクル石材等の中詰材が充填されて構成されている。このため、台風等の襲来時に、浮遊物等の鋭利なものにより袋材が破損して中詰材が流出すると、上記と同様のおそれがある。
【０００６】
さらに、海浜等への構築物は製造コストを低く抑えうるとともに現地に適応した形状、重量のものとし、また局所洗掘を防止しうるものが望まれる。
【０００７】
そこで、耐用寿命を高め、サーファーや海水浴客等に対し安全であり、現地の自然環境を保全し、生態系によい環境を作り出し、またコスト低減を図るとともに設置する現地に適応した形状、重量の二重袋体波浪制御構造物とし、さらには構築物周辺の局所洗掘を防止するために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、重ね合わせた二枚のシートにおける対向内面を適宜間隔をおいてほぼ平行に仕切ることにより複数のセルを形成し、該複数のセルにそれぞれ砂を含む水より比重の大なる流動性の中詰材を充填してセル付きシート体を構成し、該セル付きシート体により形成した袋材に砂を含む水より比重の大なる流動性の中詰材を充填することにより構成してなる二重袋体波浪制御構造物を提供する。
【０００９】
この構成によれば、波浪制御構造物は、中詰材が充填された中心側の袋体が、同じく中詰材が充填された複数のセル（小袋）を持つセル付きシート体で覆われて二重袋体構造となっている。二重袋体波浪制御構造物は、通常その複数個により適宜の堤等として構築されて海浜、海岸、海中等に設置され、港湾等を外海の波浪から防護する。この設置時において二重袋体波浪制御構造物は、台風等の襲来時に高波浪により浮遊物等の鋭利なものよって破損、亀裂等が生じるおそれがある。このとき、波浪制御構造物は二重袋体構造となっていることで、鋭利なものによる破損、亀裂を、外側のセル付きシート体におけるセル（小袋）のみで受け止めて、中心側の袋体に破損、亀裂が及ぶのを防止することが可能となる。
【００１０】
請求項２記載の発明は、上記二枚のシートの材料は不織布又は織布であり、当該二枚のシートのうち、上記袋材における外側のシートは波力による破損に耐える性能に優れ、内側のシートは上記中詰材による摩耗に耐える性能に優れたものである二重袋体波浪制御構造物を提供する。
【００１１】
この構成によれば、セルの表面側を形成しているシートは波力による破損に耐える性能に優れ、中心側の袋体を形成しているシートは中詰材による摩耗に耐える性能に優れたものとすることで、台風等の襲来時に高波浪により中心側の袋体に破損、亀裂が及ぶのを一層確実に防止することが可能となる。また、二重袋体波浪制御構造物は、表面が不織布又は織布からなり、袋体内部には、砂等の流動性の中詰材が充填されていることで、サーファーや海水浴客等に対し安全な構造物となる。さらに、セルの表面側を形成しているシートには、藻や海草等が着きやすく生態系によい環境が作り出される。
【００１２】
請求項３記載の発明は、上記内側のシートは、上記外側のシートよりも機械的強度が大であり、上記各セルの断面形状は、ほぼ直線状の前記内側のシートに対し、前記外側のシートは円弧状に膨出している二重袋体波浪制御構造物を提供する。
【００１３】
この構成によれば、セル付きシート体は、中心側の袋体となる機械的強度の大なる内側のシートに対し、各セルが外側に球面状に膨出することで、二重袋体構造の容易形成性が得られるとともに、中心側の袋体の強度を高めることが可能となる。
【００１４】
請求項４記載の発明は、重ね合わせた二枚のシートにおける対向内面を適宜間隔をおいてほぼ平行に仕切ることにより形成した複数のセルを持つセル付きシート材を作製し、該セル付きシート材を製品となる二重袋体波浪制御構造物を設置する現地の製造ヤードに搬入し、該製造ヤードにおいて前記現地で調達可能な砂を含む水より比重の大なる流動性の中詰材を前記複数のセルにそれぞれ充填してセル付きシート体を作製し、次いで該セル付きシート体により形成した袋材に前記と同様の中詰材を充填する二重袋体波浪制御構造物の製作方法を提供する。
【００１５】
この構成によれば、中詰材として現地の砂等を用いることでコスト低減が図れる。また、セルが破損して中詰材が流出しても、中詰材は現地の砂等なので、現地の自然環境に影響を及ぼすことがない。
【００１６】
請求項５記載の発明は、上記製造ヤードに搬入する上記セル付きシート材における少なくとも上記セルの形状、寸法は、上記製品となる二重袋体波浪制御構造物を設置する現地に対応した形状、寸法とする二重袋体波浪制御構造物の製作方法を提供する。
【００１７】
この構成によれば、設置する現地に適応した形状、重量の二重袋体波浪制御構造物を製作することが可能となる。
【００１８】
請求項６記載の発明は、頂部を平坦にして且つ該頂部が水面下に位置するように請求項１，２又は３記載の二重袋体波浪制御構造物の複数個を、海底地盤の上に展着し且つ積上げ、もしくは捨石堤の外表面に被着して人工リーフもしくは潜堤を構築する二重袋体波浪制御構造物の構築方法を提供する。
【００１９】
この構成によれば、二重袋体波浪制御構造物の複数個を用いて構築することで、藻や海草等が着きやすく生態系によい人工リーフもしくは潜堤となる。
【００２０】
請求項７記載の発明は、岸辺から海側に突出した捨石堤の外表面に、堤頂部が水面上に位置するように請求項１，２又は３記載の二重袋体波浪制御構造物の複数個を被着して突堤を構築する二重袋体波浪制御構造物の構築方法を提供する。
【００２１】
この構成によれば、二重袋体波浪制御構造物の複数個を用いて構築することで、高波浪に対し安定した減勢作用を有するとともにサーファーや海水浴客等に対し安全な突堤となる。
【００２２】
請求項８記載の発明は、捨石堤の外表面に、堤頂部が水面上に位置するように請求項１，２又は３記載の二重袋体波浪制御構造物の複数個を被着して離岸堤を構築する二重袋体波浪制御構造物の構築方法を提供する。
【００２３】
この構成によれば、二重袋体波浪制御構造物の複数個を用いて構築することで、高波浪に対し安定した減勢作用を有するとともにサーファーや海水浴客等に対し安全な離岸堤となる。
【００２４】
請求項９記載の発明は、上記人工リーフ、潜堤、突堤又は離岸堤を構築している複数個の上記二重袋体波浪制御構造物のうち、前記人工リーフ、潜堤、突堤又は離岸堤の端部に位置する各二重袋体波浪制御構造物から、当該人工リーフ、潜堤、突堤又は離岸堤周辺の局所洗掘を防止する局所洗掘防止手段が張り出されている二重袋体波浪制御構造物の構築方法を提供する。
【００２５】
この構成によれば、構築した人工リーフ、潜堤、突堤又は離岸堤周辺の海底面の上に局所洗掘防止手段を張り出させることで、波浪によりこれらの構築物周辺に生じやすい局所洗掘が防止される。
【発明の効果】
【００２６】
請求項１記載の発明は、重ね合わせた二枚のシートにおける対向内面を適宜間隔をおいてほぼ平行に仕切ることにより複数のセルを形成し、該複数のセルにそれぞれ砂を含む水より比重の大なる流動性の中詰材を充填してセル付きシート体を構成し、該セル付きシート体により形成した袋材に砂を含む水より比重の大なる流動性の中詰材を充填することにより構成したので、台風等の襲来時に浮遊物等の鋭利なものによる破損、亀裂を、外側のセル付きシート体における複数のセルのみで受け止めて、中心側の袋体に破損、亀裂が及ぶのを防止することができる。したがって、中心側袋体における中詰材の流失を防ぐことができて港湾等を外海の波浪から防護する機能には殆ど影響を受けることがなく、耐用寿命を高めることができるという利点がある。
【００２７】
請求項２記載の発明は、上記二枚のシートの材料は不織布又は織布であり、当該二枚のシートのうち、上記袋材における外側のシートは波力による破損に耐える性能に優れ、内側のシートは上記中詰材による摩耗に耐える性能に優れたものとしたので、台風等の襲来時に高波浪により中心側の袋体に破損、亀裂が及ぶのを一層確実に防止することができる。また、二重袋体波浪制御構造物は、表面が不織布又は織布からなり、袋体内部には、砂等の流動性の中詰材が充填されていることで、サーファーや海水浴客等に対し安全であり、さらに、セルの表面側を形成しているシートには、藻や海草等が着きやすく生態系によい環境を作り出すことができるという利点がある。
【００２８】
請求項３記載の発明は、上記内側のシートは、上記外側のシートよりも機械的強度が大であり、上記各セルの断面形状は、ほぼ直線状の前記内側のシートに対し、前記外側のシートは円弧状に膨出しているようにしたので、中心側の袋体の強度を高めることができるという利点がある。
【００２９】
請求項４記載の発明は、重ね合わせた二枚のシートにおける対向内面を適宜間隔をおいてほぼ平行に仕切ることにより形成した複数のセルを持つセル付きシート材を作製し、該セル付きシート材を製品となる二重袋体波浪制御構造物を設置する現地の製造ヤードに搬入し、該製造ヤードにおいて前記現地で調達可能な砂を含む水より比重の大なる流動性の中詰材を前記複数のセルにそれぞれ充填してセル付きシート体を作製し、次いで該セル付きシート体により形成した袋材に前記と同様の中詰材を充填するようにしたので、中詰材として現地の砂等を用いることでコスト低減を図ることができ、またセルが破損して中詰材が流出しても、現地の自然環境に影響を及ぼすことがないという利点がある。
【００３０】
請求項５記載の発明は、上記製造ヤードに搬入する上記セル付きシート材における少なくとも上記セルの形状、寸法は、上記製品となる二重袋体波浪制御構造物を設置する現地に対応した形状、寸法としたので、設置する現地に適応した形状、重量の二重袋体波浪制御構造物を製作することができるという利点がある。
【００３１】
請求項６記載の発明は、頂部を平坦にして且つ該頂部が水面下に位置するように請求項１，２又は３記載の二重袋体波浪制御構造物の複数個を、海底地盤の上に展着し且つ積上げ、もしくは捨石堤の外表面に被着して人工リーフもしくは潜堤を構築するようにしたので、藻や海草等が着きやすく生態系によい人工リーフもしくは潜堤を構築することができるという利点がある。
【００３２】
請求項７記載の発明は、岸辺から海側に突出した捨石堤の外表面に、堤頂部が水面上に位置するように請求項１，２又は３記載の二重袋体波浪制御構造物の複数個を被着して突堤を構築するようにしたので、サーファーや海水浴客等に対し安全な突堤を構築することができるという利点がある。
【００３３】
請求項８記載の発明は、捨石堤の外表面に、堤頂部が水面上に位置するように請求項１，２又は３記載の二重袋体波浪制御構造物の複数個を被着して離岸堤を構築するようにしたので、高波浪に対し安定した減勢作用を有するとともにサーファーや海水浴客等に対し安全な離岸堤を構築することができるという利点がある。
【００３４】
請求項９記載の発明は、上記人工リーフ、潜堤、突堤又は離岸堤を構築している複数個の上記二重袋体波浪制御構造物のうち、前記人工リーフ、潜堤、突堤又は離岸堤の端部に位置する各二重袋体波浪制御構造物から、当該人工リーフ、潜堤、突堤又は離岸堤周辺の局所洗掘を防止する局所洗掘防止手段が張り出されているので、波浪による構築物周辺の局所洗掘を防止することができるという利点がある。
【発明を実施するための最良の形態】
【００３５】
耐用寿命を高め、サーファーや海水浴客等に対し安全であり、現地の自然環境を保全し、生態系によい環境を作り出し、またコスト低減を図るとともに設置する現地に適応した形状、重量の二重袋体波浪制御構造物とし、さらには構築物周辺の局所洗掘を防止するという目的を、重ね合わせた不織布又は織布からなる二枚のシートにおける対向内面を適宜間隔をおいてほぼ平行に仕切ることにより形成した複数のセルを持つセル付きシート材を作製し、該セル付きシート材を現地の製造ヤードに搬入し、前記現地で調達可能な砂を含む水より比重の大なる流動性の中詰材を前記複数のセルにそれぞれ充填してセル付きシート体を作製し、該セル付きシート体により形成した袋材に前記と同様の中詰材を充填して二重袋体波浪制御構造物を構成する。前記製造ヤードに搬入するセル付きシート材における少なくともセルの形状、寸法は、現地に対応した形状、寸法とする。また、人工リーフ等を構築している複数個の二重袋体波浪制御構造物のうち、前記人工リーフ等の端部に位置する各二重袋体波浪制御構造物から、当該人工リーフ等周辺の局所洗掘を防止する局所洗掘防止手段を張り出すことにより実現した。
【実施例１】
【００３６】
以下、本発明の実施例を図面に従って詳述する。図１（ａ）はセル付きシート体の平面図、同図（ｂ）は（ａ）のＡ−Ａ断面図、図２（ａ）は二重袋体波浪制御構造物の平面図、同図（ｂ）は（ａ）のＢ−Ｂ断面図である。まず、図１及び図２を用いて、本実施例に係る二重袋体波浪制御構造物の構成を説明する。
【００３７】
二重袋体波浪制御構造物は、中詰材が充填された中心側の袋体が、同じく中詰材が充填された複数のセル（小袋）を持つセル付きシート体で覆われて二重袋体構造となっている。なお、この明細書で、袋材とは、まだ中詰材が充填されていない単なる袋状のものを指し、袋体とは、前記袋材に中詰材が充填されたものを指す。
【００３８】
図１（ａ）、（ｂ）に示すように、セル付きシート体１は、重ね合わせた二枚のシート２ａ，２ｂにおける対向内面が適宜間隔をおいて仕切り部３でほぼ平行に仕切ることにより複数のセル４，…が形成され、該複数のセル４，…にそれぞれ砂を含む水より比重の大なる流動性の中詰材５ａが充填されて構成されている。
【００３９】
前記各シート２ａ，２ｂは、港湾施設の吸出し防止材とか土砂安定工法に使用されているジオテキスタイル（土木シート）が活用され、素材は、ポリエステル、ポリプロピレン等の合成樹脂製の長繊維不織布又は織布である。前記仕切り部３は、縫合もしくは接着法が適用されて固着されている。また、各セル４，…の両端部６ａ，６ｂについても縫合もしくは接着法が適用されて閉止されている。
【００４０】
前記二枚のシート２ａ，２ｂのうち、前記二重袋体構造としたときの外側のシート２ａは、波力による破損に耐える性能に優れ、内側のシート２ｂは、両面が中詰材に接することになるので、中詰材による摩耗に耐える性能に優れたものが用いられている。また、前記内側のシート２ｂは、前記外側のシート２ａよりも厚みが厚く機械的強度が大であり、図１（ｂ）に示すように、各セル４，…の断面形状は、ほぼ直線状の内側のシート２ｂに対し、外側のシート２ａは円弧状に膨出した形状となっている。このように、外側のシート２ａと内側のシート２ｂとは、その性質を変え、セル付きシート体１として必要な強度、耐久性に対応できるように構成されている。
【００４１】
セル付きシート体１の各寸法は、各セル４，…の高さｔ＝１５０〜３００ｍｍ程度、幅ｄ＝５００〜６００ｍｍ程度、シート体１の幅Ｌ＝６．０ｍ程度である。該シート体１の幅Ｌは、次に述べる二重袋体波浪制御構造物の長さとほぼ同じである。また、図１（ａ）の横方向の長さは、形成される二重袋体波浪制御構造物の大きさに応じた長さとなっている。なお、後述するように、セル付きシート体１の各寸法は、二重袋体波浪制御構造物が設置される現地に対応した寸法とされるので、例示された上記の各寸法は、これに限定されるものではない。
【００４２】
図２（ａ）、（ｂ）に示すように、二重袋体波浪制御構造物７は、前記セル付きシート体１が円筒状に巻かれた円筒状体の両端部７ａ，７ａが縫合もしくはロープ等を用いた縛りにより閉止されて袋材が形成されている。そして該袋材に、砂を含む水より比重の大なる流動性の中詰材５ｂが充填されて二重袋体構造となっている。袋材への中詰材５ｂの充填は、前記袋材の形成後、該袋材内に図２（ａ）に示す上面中央の開口部７ｂから中詰材５ｂを所要量投入した後、前記開口部７ｂを縫合もしくは予め取り付けておいたチャックで閉止することにより行われている。
【００４３】
セル付きシート体１により形成された袋材は、空の状態では前記のようにほぼ円筒状であるが、中詰材５ｂを投入していくにつれ、図２（ｂ）に示すように、自重でかまぼこ型になる。該かまぼこ型の二重袋体波浪制御構造物７の各寸法は、高さＴ＝１．０ｍ程度、幅Ｄ＝３．０ｍ程度、長さＬ＝６．０ｍ程度である。前記のように、セル付きシート体１の各寸法が、現地に対応した寸法とされるので、例示された二重袋体波浪制御構造物７の各寸法は、これに限定されるものではない。
【００４４】
次いで、前記二重袋体波浪制御構造物７の製作方法の一例を説明する。工場にて、内側のシート２ｂに外側のシート２ｂを重ね合わせ、仕切り部３で複数のセル４，…を備えたセル付きシート材を作成する。このとき、該セル付きシート材における前記各セル４，…の形状、寸法は、二重袋体波浪制御構造物７を設置する現地に対応した形状、寸法とする。
【００４５】
このような、セル付きシート材を、製品となる二重袋体波浪制御構造物７を設置する現地の製造ヤードに搬入する。そして、該製造ヤードにおいて現地で調達可能な砂を含む水より比重の大なる流動性の中詰材５ａを前記複数のセル４，…にそれぞれ充填してセル付きシート体１を作製する。次いで、該セル付きシート体１を、前述したように、円筒状に巻き、その両端部７ａ，７ａを閉止して袋材を形成し、該袋材に、前記と同様に現地で調達可能な中詰材５ｂを充填して二重袋体波浪制御構造物７を製作する。
【００４６】
図３及び図４は、上記のように製作された二重袋体波浪制御構造物７の複数個を用いて現地で施工した人工リーフもしくは潜堤９の構築例を示している。人工リーフもしくは潜堤９は、頂部をほぼ平坦にして且つ該頂部が水面下に位置するように二重袋体波浪制御構造物７の複数個を、海底地盤１０の上に展着し且つ、２段に積上げて構築されている。
【００４７】
前記人工リーフもしくは潜堤９を構築している複数個の二重袋体波浪制御構造物７のうち、前記人工リーフもしくは潜堤９の端部で且つ、下段側に位置する各二重袋体波浪制御構造物７Ｄ，…からは、当該人工リーフもしくは潜堤９周辺の局所洗掘を防止するための局所洗掘防止部（局所洗掘防止手段）８，…が張り出されている。
【００４８】
図示例では、隣接する二つの局所洗掘防止部８，８が接続部８ａを介して前記下段側の二重袋体波浪制御構造物７Ｄに取り付けられている。局所洗掘防止部８の構造は特に限定されないが、図１に示すセル４と同様に、二枚のシート２ａ，２ｂからなる二重袋体構造として中詰材５ａを充填して形成するのが好ましい。また、局所洗掘防止部８及び接続部８ａを含む局所洗掘防止機構の各張出し長さは、２．５ｍ程度である。接続部８ａは、シート、ひも又はワイヤ等のいずれでもよい。なお、局所洗掘防止部８は、セル付きシート材の作製時に、下段側となる該当セル付きシート材における外側のシート２ａの所要部位に、接続部８ａを介して縫合もしくは接着等により予め取り付けておいてもよい。
【００４９】
なお、図４の上下部分の下段側に位置する各二重袋体波浪制御構造物７Ｄ，…には、その長手方向外側端部に、前記接続部８ａ及び局所洗掘防止部８，８を取り付けてあり、同図の右部分の下段側に位置する各二重袋体波浪制御構造物７Ｄ，…には、その幅方向外側端部に、前記接続部８ａ及び局所洗掘防止部８，８を取り付けてある。
【００５０】
次に、上述のように構成された二重袋体波浪制御構造物の作用を説明する。二重袋体波浪制御構造物７，７Ｄ（以下、双方をあわせて単に二重袋体波浪制御構造物７という）は、その複数個により人工リーフもしくは潜堤９等として構築されて海浜、海岸、海中等に設置され、港湾等を外海の波浪から防護する。この設置時において前記人工リーフもしくは潜堤９等の表面側を構成している二重袋体波浪制御構造物７，…は、台風等の襲来時に高波浪により浮遊物等の鋭利なものよって破損、亀裂等が生じるおそれがある。
【００５１】
このとき、前記二重袋体波浪制御構造物７は二重袋体構造となっていることで、鋭利なものによる破損、亀裂を、外側のセル付きシート体１における各セル４，…のみで受け止めて、中心側の袋体に破損、亀裂が及ぶのが防止される。また、各セル４，…の表面側、即ち外側のシート２ａは波力による破損に耐える性能に優れ、中心側の袋体を形成しているシート、即ち内側のシート２ｂは、中詰材５ａ，５ｂによる摩耗に耐える性能に優れたものが用いられていることで、中心側の袋体に破損、亀裂が及ぶのが一層確実に防止される。
【００５２】
二重袋体波浪制御構造物７は、各シート２ａ，２ｂの素材が、ポリエステル、ポリプロピレン等の合成樹脂製の長繊維不織布又は織布なり、袋体内部には、砂等の流動性の中詰材５ａ，５ｂが充填されていることで、サーファーや海水浴客等に対し安全な構造物となる。さらに、外側のシート２ａには、藻や海草等が着きやすく生態系によい環境が作り出される。
【００５３】
二重袋体波浪制御構造物７は、中詰材５ａ，５ｂとして現地の砂等を用いることでコスト低減が図れる。また、セル４，…が破損して中詰材５ａが流出しても、該中詰材５ａは現地の砂等なので、現地の自然環境に影響を及ぼすことがない。
【００５４】
二重袋体波浪制御構造物７は、現地に適応した形状、重量のものが製作されることで、人工リーフもしくは潜堤９等も現地に適応した形状、重量のものを構築することが容易となる。また、人工リーフもしくは潜堤９から、その周辺の海底面の上に局所洗掘防止部８，８が張り出されていることで、波浪により人工リーフもしくは潜堤９周辺に生じやすい局所洗掘が防止される。
【００５５】
上述したように、本実施例に係る二重袋体波浪制御構造物においては、台風等の襲来時に浮遊物等の鋭利なものによる破損、亀裂から中心側の袋体を保護することができて耐用寿命を高めることができる。
【００５６】
二重袋体波浪制御構造物７は、サーファーや海水浴客等に対し安全であり、さらに、外側のシート２ａには、藻や海草等が着きやすく生態系によい環境を作り出すことができる。
【００５７】
中詰材５ａ，５ｂとして現地の砂等を用いることでコスト低減を図ることができ、また、現地の自然環境を保全することができる。
【００５８】
人工リーフもしくは潜堤９から、局所洗掘防止部８，８が張り出されていることで、波浪による人工リーフもしくは潜堤９周辺の局所洗掘を防止することができる。
【００５９】
次いで、図５乃至図７の各図を用いて、二重袋体波浪制御構造物７の複数個を用いて現地で施工した他の構築例を説明する。なお、図５乃至図７に示す各構築物では、図示を省略したが、各構築物の端部で且つ、下段側に位置する各二重袋体波浪制御構造物からは、前記図３及び図４に示したものと同様の局所洗掘防止部がそれぞれ張り出されている。
【００６０】
図５は、頂部をほぼ平坦にして且つ該頂部が水面下に位置するように二重袋体波浪制御構造物７，…の複数個を、捨石堤１１の外表面に被着して他の人工リーフもしくは潜堤１２を構築したものである。この構築例においては、藻や海草等が着きやすく生態系によい他の人工リーフもしくは潜堤１２となる。
【００６１】
図６は、岸辺１３から海側に突出した捨石堤（図示せず）の外表面に、堤頂部が水面上に位置するように二重袋体波浪制御構造物の複数個を被着して突堤１４を構築したものである。この構築例においては、外海からの高波浪に対し安定した減勢作用を有するとともにサーファーや海水浴客等に対し安全な突堤１４となる。
【００６２】
図７は、捨石堤（図示せず）の外表面に、堤頂部が水面上に位置するように二重袋体波浪制御構造物の複数個を被着して離岸堤１５を構築したものである。この構築例においては、上記と同様に、外海からの高波浪に対し安定した減勢作用を有するとともにサーファーや海水浴客等に対し安全な離岸堤１５となる。
【００６３】
二重袋体波浪制御構造物７の複数個を用いて施工した上記の各構築例は、いずれも外海からの波浪を減勢して港湾等を防護する機能を持っている。ところで、合成樹脂製の不織布又は織布からなるシート２ａ，２ｂを用いて構成した二重袋体波浪制御構造物７は、サーファーや海水浴客等に対し安全に機能する。そこで、特にサーファー等の希望に沿うような、部分的に波高の大きな波浪を生じさせる構築物を施工することもできる。
【００６４】
即ち、例えば二重袋体波浪制御構造物７の複数個を用いて施工した二個の潜堤等の構築物を、岸側から沖側に向けてハの字状に開くように設置すると、該ハの字状構築物の狭幅側の部分から、サーファー等の希望に沿うような、部分的に波高の大きな波浪を得ることができる。
【００６５】
また、上記の各構築例は、いずれも海浜、海岸、海中等に設置されたものであるが、二重袋体波浪制御構造物７は、例えば河川護岸構造物、土砂安定構造物及び法面安定工法の構造物等、海浜等以外の場所に設置する構造物へも適用することができる。
【００６６】
なお、本発明は、本発明の精神を逸脱しない限り種々の改変をなすことができ、そして、本発明が該改変されたものにも及ぶことは当然である。
【図面の簡単な説明】
【００６７】
図は、本発明の実施例に係る二重袋体波浪制御構造物、その製作方法及びその構築方法を示すものである。
【図１】セル付きシート体の断面図及び平面図。
【図２】二重袋体波浪制御構造物の断面図及び平面図。
【図３】二重袋体波浪制御構造物を用いて施工した構築例である人工リーフもしくは潜堤の側面図。
【図４】図３の平面図。
【図５】二重袋体波浪制御構造物を用いて施工した構築例である他の人工リーフもしくは潜堤の断面図。
【図６】二重袋体波浪制御構造物を用いて施工した構築例である突堤の平面図。
【図７】二重袋体波浪制御構造物を用いて施工した構築例である離岸堤の側面図。
【符号の説明】
【００６８】
１          セル付きシート体
２ａ，２ｂ  シート
３          仕切り部
４          セル
５ａ，５ｂ  中詰材
７          二重袋体波浪制御構造物
８          局所洗掘防止部（局所洗掘防止手段）
９          人工リーフもしくは潜堤
１０          海底地盤
１１          捨石堤
１２          他の人工リーフもしくは潜堤
１３          岸辺
１４          突堤
１５          離岸堤
【図１】
2006307603.tif 000003
【図２】
2006307603.tif 000004
【図３】
2006307603.tif 000005
【図４】
2006307603.tif 000006
【図５】
2006307603.tif 000007
【図６】
2006307603.tif 000008
【図７】
2006307603.tif 000009